(57)【要約】 【課題】  動力駆動装置の引力によって動力被駆動装置を強力に作動させる間接動力連結装置を提供する。【解決手段】本発明の間接動力連結装置は、少なくともＮ極とＳ極を有し相互に引き合う磁石３１、４１をそれぞれ取り付けた動力駆動装置３０と動力被駆動装置４０とを具備し、動力駆動装置３０が回転すると動力駆動装置３０と動力被駆動装置４０の磁石３１、４１間の磁界線が歪み抑制効果を生じ、その結果として回転トルクを生じ、それにより動力駆動装置３０と動力被駆動装置４０とを同期して強力に作動させることができる。【選択図】図３
2007127266.tif 000002
【特許請求の範囲】
【請求項１】
少なくともＮ極とＳ極を有し相互に引き合う磁石をそれぞれ取り付けた動力駆動装置と動力被駆動装置とを具備することを特徴とする間接動力連結装置。
【請求項２】
前記動力駆動装置と前記動力被駆動装置に少なくとも二つの磁極を有する磁石をそれぞれ取り付けたことを特徴とする請求項１記載の間接動力連結装置。
【請求項３】
前記動力駆動装置と前記動力被駆動装置に異なる磁極を有する少なくとも二つの磁石をそれぞれ取り付けたことを特徴とする請求項１記載の間接動力連結装置。
【請求項４】
前記動力駆動装置と前記動力被駆動装置にはそれぞれ四つの磁石が交互にＮ−Ｓ−Ｎ−Ｓで環状に配列されていることを特徴とする請求項３記載の間接動力連結装置。
【請求項５】
前記動力駆動装置はファンモータであることを特徴とする請求項１記載の間接動力連結装置。
【請求項６】
前記動力被駆動装置は冷却液の攪拌体であることを特徴とする請求項１記載の間接動力連結装置。
【請求項７】
前記磁石は環状に配列されていることを特徴とする請求項１記載の間接動力連結装置。
【請求項８】
前記磁石は複数の矩形板からなることを特徴とする請求項１記載の間接動力連結装置。
【発明の詳細な説明】
【技術分野】
【０００１】
本発明は、動力駆動装置と動力被駆動装置間の間接動力伝達に用いられ、動力駆動装置の引力によって動力被駆動装置を強力に作動させる間接動力連結装置に関する。
【背景技術】
【０００２】
図１に示すように、台湾特許出願第９４１３０２３３号は冷却装置を開示する。冷却装置は冷却ファン５０とヒートシンク２１とを具備する。ヒートシンク２１は加熱部材８１と直接的に接触し、加熱部材８１から熱を吸収する。冷却ファン５０はヒートシンク２１に取り付けられ、熱を消散する。
【０００３】
ヒートシンク２１は中央熱伝達体２２を含む。複数の冷却フィン２３は中央熱伝達体２２の周辺部から伸延する。中央熱伝達体２２は完全に密閉された中空室２２１を内蔵する。中空室２２１内には冷却液が充填され、かつ、中空室２２１に攪拌体２５が配置されている。攪拌体２５と冷却ファンの回転子と対応する箇所には、透磁性部材２５１，５４が配置され、透磁性部材２５１，５４間には、磁力による吸着及び相互間引力が透磁性部材２５１，５４間に作用している。
【０００４】
その結果、回転子５３と攪拌体２５によって磁性的に引き起こされた同期動作によって、中空室２２１内の熱を保有する冷却液は、攪拌体２５の回転によって攪拌され、冷却効果を高めることができる。一方、中空室２２１は、冷却液を溢出することなく完全に密閉空間を形成する。
【０００５】
従って、透磁性部材２５１，５４は、回転子５３と攪拌体２５を間接連結動作させるために重要な設計部材である。このように、冷却装置をより完全なものとするため、本発明は、具体的には、攪拌体２５等の被駆動部材を、動力発生源の引力によって、同期してかつより強力に駆動することができ、最適な冷却効果を得ることができる改良型の間接連結装置を提供することを目的とする。
【特許文献１】台湾特許出願第９４１３０２３３号
【発明の開示】
【発明が解決しようとする課題】
【０００６】
上記した点に鑑み、本発明は、動力駆動装置と動力被駆動装置を具備する間接連結装置を提供する。
【課題を解決するための手段】
【０００７】
上記課題を解決するために、本発明は、下記の特徴を有する間接動力連結装置を提供する。
１．請求項１に記載の間接動力連結装置は、少なくともＮ極とＳ極を有し相互に引き合う磁石をそれぞれ取り付けた動力駆動装置と動力被駆動装置とを具備することを特徴とする。
２．請求項２に記載の間接動力連結装置は、請求項１の場合において、前記動力駆動装置と前記動力被駆動装置に少なくとも二つの磁極を有する磁石をそれぞれ取り付けたことを特徴とする。
３．請求項３に記載の間接動力連結装置は、請求項１の場合において、前記動力駆動装置と前記動力被駆動装置に異なる磁極を有する少なくとも二つの磁石をそれぞれ取り付けたことを特徴とする。
４．請求項４に記載の間接動力連結装置は、請求項３の場合において、前記動力駆動装置と前記動力被駆動装置にはそれぞれ四つの磁石が交互にＮ−Ｓ−Ｎ−Ｓで環状に配列されていることを特徴とする。
５．請求項５に記載の間接動力連結装置は、請求項１の場合において、前記動力駆動装置はファンモータであることを特徴とする。
６．請求項６に記載の間接動力連結装置は、請求項１の場合において、前記動力被駆動装置は冷却液の攪拌体であることを特徴とする。
７．請求項７に記載の間接動力連結装置は、請求項１の場合において、前記磁石は環状に配列されていることを特徴とする。
８．請求項８に記載の間接動力連結装置は、請求項１の場合において、前記磁石は複数の矩形板からなることを特徴とする。
【発明の効果】
【０００８】
上記により、駆動装置が回転すると、動力駆動装置と動力被駆動装置の磁石間の磁界線がひずんで抑制効果を生じ、さらに回転トルクを形成し、駆動装置の磁性引力によって動力被駆動装置を駆動し同時に回転する。
【０００９】
駆動装置の好ましい実施例が冷却ファンの回転子で、動力被駆動装置の好ましい実施例が冷却液攪拌体の場合、攪拌体は、磁界線の抑制効果とロータの間接磁性引力によって形成されるトルクによって、強力な動作を生じ、冷却液を攪拌する。熱を吸収する冷却液は動的な熱を保有する液となり、均一に熱を拡散すると共に各フィンに伝達して、ファンの熱消散を促進し、より迅速かつ効率の良い冷却効果を得ることができる。
【発明を実施するための最良の形態】
【００１０】
本発明は、相互に引き合う動力駆動装置と動力被駆動装置に対応する箇所にそれぞれ設けられた磁石を具備する間接動力連結装置に関する。動力駆動装置と動力被駆動装置にそれぞれ取り付けられる磁石は、全て、少なくとも２つの磁極を有し、動力駆動装置と動力被駆動装置を同時に作動させて強力な作動を行わせ、最適の冷却効果を得ることができる。
【００１１】
以下、複数の好ましい実施例を挙げ、本発明における各部のそれぞれの位置を示す。
【００１２】
動力駆動装置３０と動力被駆動装置４０を含む図２及び図３も参照して説明すると、磁石３１、４１が、相互に引き合う動力駆動装置３０と動力被駆動装置４０に対応する位置に取り付けられ、これら全ての磁石３１、４１は少なくとも２つの磁極、例えば、Ｎ極とＳ極を有する。磁石３１、４１は単一片からなるリングとすることもでき、また複数の矩形板を組み合わせたリングとすることもできる。
【００１３】
動力駆動装置３０が静止状態にある場合、動力駆動装置３０の磁石３１のＮ極は動力被駆動装置４０の磁石４１のＳ極を引き付け、一方動力駆動装置３０の磁石３１のＳ極は動力被駆動装置４０の磁石４１のＮ極を引き付ける。動力駆動装置３０が回転している場合、動力駆動装置３０の磁石３１と動力被駆動装置４０の磁石４１との間の磁界線は歪んで抑制効果を生じ、さらに回転トルクを発生する。この回転トルクによって動力被駆動装置４０は同期的に回転し、動力駆動装置３０の磁性引力によって強力な作動を行わせることができる。
【００１４】
更に、本発明は図４に示すデザインの構造とすることもできる。動力駆動装置３０と動力被駆動装置４０にはそれぞれ少なくとも２つ（図４では４つ）の磁石３２、４２がそれぞれ取り付けられており、磁石３２、４２は相互に引き合う動力駆動装置３０と動力被駆動装置４０と対応する位置に配置されている。
【００１５】
動力駆動装置３０の磁石３２は少なくともＮ極とＳ極を有し磁石３２は交互にＮ−Ｓ−Ｎ−Ｓと環状配列によって配置されている。動力被駆動装置４０の磁石４２も少なくともＮ極とＳ極を有し、これらの磁石４２も交互にＮ−Ｓ−Ｎ−Ｓの環状配列によって配置されている。図４に示す環状デザインに加えて、磁石３２、４２は矩形板を組み立てることによって環状に形成することもできる。
【００１６】
したがって、動力駆動装置３０が回転すると、磁界線が歪められることによって生ずる抑制効果によって、トルクが動力被駆動装置４０を回転する。このような磁性引力によって、動力被駆動装置４０と動力駆動装置３０は同期した強力な動作を行う。
【００１７】
更に、図５は本発明の実施例を示す模式図である。動力駆動装置は冷却ファン５０のモータとすることができ、動力被駆動装置は冷却装置２１の攪拌体２５とすることができる。
【００１８】
冷却装置２１は、中央熱伝導体２２と、同中央熱伝導体２２の周辺から伸延する複数の冷却フィン２３とを具備する。中央熱伝導体２２の底部は加熱部材８１に直接的に接触しており、完全に密封された中空室２２１が加熱部材８１内に形成されている。中空室２２１内には冷却液が充填されており、かつ、中空室２２１内には攪拌体２５が配置されている。
【００１９】
磁石３１、４１が冷却ファン５０の回転子５３と攪拌体２５との間に配置されており、相互に対応する位置に位置しており、かつ、少なくとも二つの極、例えば、Ｎ極とＳ極等から成る磁極を有する。
【００２０】
上記した構成によって冷却ファン５０の回転子５３が回転すると、回転子５３の磁石３１と攪拌体２５の磁石４１間の磁界線が歪んで抑制効果を生じ、したがって、攪拌体２５を駆動するための回転トルクを更に生じ、回転子５３と攪拌体２５が同期しかつ強力な動作を行うことができる。攪拌体２５は、中空室２２１内に充填した冷却液を攪拌することによって、熱を吸収する冷却液は動的熱液となり、迅速かつ均一に熱を拡散すると共に各冷却フィン２３に熱を伝達し、冷却ファン５０の熱消散を促進し、速やかにかつ効果的な冷却効果を得ることができる。
【００２１】
要約すると、動力駆動装置と動力被駆動装置間の間接的磁性引力によって、本発明はより迅速かつ良好な冷却効果を得ることができる。一方、中空室は完全に密閉された空間を維持するので冷却液の溢出の問題を完全に解決することができ、冷却ファンの動作速度への影響を阻止できる。したがって本発明は新規性及び進歩性を有するのみならず産業上の利用性も有する。
【００２２】
本発明を現時点で最も実用上好ましいと思われる実施例を参照して説明してきたが、本発明は開示された実施例に限定されるものではないことは理解されるべきである。むしろ、本発明は、添付の請求項の要旨及び範囲内でなされる変容例や同様な装置も含むものとし、このような変容例や同様な構造を含むように広く解釈されるものである。
【図面の簡単な説明】
【００２３】
【図１】従来構造の模式断面図である。
【図２】本発明の第１構造を示す模式断面図である。
【図３】本発明の第１構造を示す部分分解図である。
【図４】本発明の第２構造を示す部分分解図である。
【図５】本発明の好ましい実施例を示す断面図である。
【符号の説明】
【００２４】
２１  冷却装置
２２  中央熱伝導体
２２１  中空室
２３  冷却フィン
２５  攪拌体
２５１  透磁性部材
３０  動力駆動装置
３１、３２  磁石
４０  動力被駆動装置
４１、４２  磁石
５０  冷却ファン
５３  回転子
５４  透磁性部材
８１  加熱部材
【図１】
2007127266.tif 000003
【図２】
2007127266.tif 000004
【図３】
2007127266.tif 000005
【図４】
2007127266.tif 000006
【図５】
2007127266.tif 000007